(57)【特許請求の範囲】
【請求項１】
対物レンズと、
光源からの光を測定光と参照光とに分割し、前記測定光を前記対物レンズを介して被検眼に入射させ、前記被検眼から出射し前記対物レンズを通過した前記測定光の戻り光と前記参照光との干渉光を検出する干渉光学系と、
前記干渉光学系により取得された前記干渉光の検出結果に基づいて前記被検眼の画像を形成する画像形成部と、
前記測定光の光路に配置可能であり、前記測定光を吸光する光学部材と、
前記光路から前記光学部材が退避された状態で前記干渉光学系により取得された前記干渉光の第２検出結果から、前記光路に前記光学部材が配置された状態で前記干渉光学系により取得された前記干渉光の第１検出結果を差し引くことにより、前記第２検出結果又はそれに基づく画像のノイズを除去する解析部と、
を含む眼科撮影装置。
【請求項２】
対物レンズと、
光源からの光を測定光と参照光とに分割し、前記測定光を前記対物レンズを介して被検眼に入射させ、前記被検眼から出射し前記対物レンズを通過した前記測定光の戻り光と前記参照光との干渉光を検出する干渉光学系と、
前記干渉光学系により取得された前記干渉光の検出結果に基づいて前記被検眼の画像を形成する画像形成部と、
前記測定光の光路に配置可能であり、前記測定光を前記光路と異なる方向に偏向する光学部材と、
前記光路から前記光学部材が退避された状態で前記干渉光学系により取得された前記干渉光の第２検出結果から、前記光路に前記光学部材が配置された状態で前記干渉光学系により取得された前記干渉光の第１検出結果を差し引くことにより、前記第２検出結果又はそれに基づく画像のノイズを除去する解析部と、
を含む眼科撮影装置。
【請求項３】
前記光学部材は、前記対物レンズと前記被検眼との間に配置可能である
ことを特徴とする請求項１又は請求項２に記載の眼科撮影装置。
【請求項４】
前記光学部材は、前記対物レンズの保護部材を兼ねる
ことを特徴とする請求項３に記載の眼科撮影装置。
【請求項５】
前記対物レンズと前記被検眼との間に前置レンズが配置されている場合、前記光学部材は、前記前置レンズと前記被検眼との間に配置可能である
ことを特徴とする請求項１〜請求項４のいずれか一項に記載の眼科撮影装置。
【請求項６】
前記干渉光学系は、前記測定光の光路に配置された合焦レンズを含み、
前記光学部材は、前記対物レンズと前記合焦レンズとの間に配置可能である
ことを特徴とする請求項１又は請求項２に記載の眼科撮影装置。
【請求項７】
被検者の顔を支持する支持部を含み、
前記光学部材は、前記支持部の前記対物レンズ側に設けられている
ことを特徴とする請求項１又は請求項２に記載の眼科撮影装置。
【発明の詳細な説明】
【技術分野】
【０００１】
この発明は、眼科撮影装置に関する。
【背景技術】
【０００２】
光コヒーレンストモグラフィ（Ｏｐｔｉａｃｌ  Ｃｏｈｅｒｅｎｃｅ  Ｔｏｍｏｇｒａｐｈｙ：以下、ＯＣＴ）は、被測定物体の表面形態や内部形態を表す画像の形成に利用される。ＯＣＴを用いて取得されたＯＣＴ画像には、被測定物体以外の物体からの反射やコヒーレンスリバイバル現象に起因したアーチファクトが現れることがある。これらアーチファクトは、注目部位に重なって現れたり、セグメンテーション処理等の画像処理の結果に影響を及ぼしたりする場合がある。
【０００３】
例えば、ＯＣＴ画像を取得するための干渉光学系を構成する光学部材に対して減反射コーティングを施すことにより、被測定物体以外の物体からの反射に起因したアーチファクトを除去する場合がある。また、コヒーレンスリバイバル現象の発生が抑制されるように光源からの光に対して位相変調を行うことで、アーチファクトを除去する手法が知られている（特許文献１）。
【先行技術文献】
【特許文献】
【０００４】
【特許文献１】米国特許出願公開第２０１４／００２９０１５号明細書
【発明の概要】
【発明が解決しようとする課題】
【０００５】
しかしながら、光学部材に対して減反射コーティングを施した場合でも、反射を完全に抑制することは困難である。また、特許文献１に開示された手法では、光学系を構成する光学部材の種類やその配置等の光学的条件に応じた設計が必要になり、光学系や制御系の設計が複雑化する。
【０００６】
一般に、コヒーレンス長が長くなるほど被測定物体以外の物体からの反射に起因したアーチファクトがＯＣＴ画像に現れやすくなる。また、コヒーレンスリバイバル間隔が短くなるほどコヒーレンスリバイバル現象に起因したアーチファクトがＯＣＴ画像に現れやすくなる。従って、コヒーレンス長が長い光源やコヒーレンスリバイバル間隔が短い光源を用いる場合にはＯＣＴ画像の画質の劣化を招きやすくなり、前述のアーチファクトを除去するための新たな技術が求められる。
【０００７】
本発明は、このような問題を解決するためになされたものであり、その目的は、干渉光学系を用いて取得された画像に現れるアーチファクトを除去するための新たな技術を提供することにある。
【課題を解決するための手段】
【０００８】
実施形態の眼科撮影装置は、対物レンズと、干渉光学系と、画像形成部と、光学部材と、解析部とを含む。干渉光学系は、光源からの光を測定光と参照光とに分割し、測定光を対物レンズを介して被検眼に入射させ、被検眼から出射し対物レンズを通過した測定光の戻り光と参照光との干渉光を検出する。画像形成部は、干渉光学系により取得された干渉光の検出結果に基づいて被検眼の画像を形成する。光学部材は、測定光の光路に配置可能であり、測定光を吸光する。解析部は、光路から光学部材が退避された状態で干渉光学系により取得された干渉光の第２検出結果光路に光学部材が配置された状態で干渉光学系により取得された干渉光の第１検出結果を差し引くことにより、第２検出結果又はそれに基づく画像のノイズを除去する。
【発明の効果】
【０００９】
この発明によれば、干渉光学系を用いて取得された画像に現れるアーチファクトを除去するための新たな技術を提供することが可能になる。
【図面の簡単な説明】
【００１０】
【図１】実施形態に係る眼科撮影装置の構成の一例を表す概略図である。
【図２】実施形態に係る眼科撮影装置の構成の一例を表す概略図である。
【図３】実施形態に係る眼科撮影装置の構成の一例を表す概略図である。
【図４】実施形態の比較例に係る眼科撮影装置の動作を説明するための概略図である。
【図５】実施形態に係る眼科撮影装置の動作例のフローを表すフロー図である。
【図６】実施形態の第４変形例に係る眼科撮影装置の構成の要部を表す概略図である。
【図７】実施形態の第５変形例に係る眼科撮影装置の構成の要部を表す概略図である。
【図８】実施形態の第６変形例に係る眼科撮影装置の構成の要部を表す概略図である。
【発明を実施するための形態】
【００１１】
この発明の実施形態の一例について、図面を参照しながら詳細に説明する。この発明に係る眼科撮影装置は、光干渉断層計の機能を有し、被検眼に対してＯＣＴを実行する。このＯＣＴは、例えば眼底や前眼部など、被検眼の任意の部位に対して実行される。
【００１２】
この明細書では、ＯＣＴによって取得される画像をＯＣＴ画像と総称することがある。また、ノイズをアーチファクトと同一視して表記する場合がある。また、この明細書において引用された文献の記載内容を、以下の実施形態の内容として援用することが可能である。
【００１３】
以下の実施形態では、フーリエドメインタイプのＯＣＴを実行可能な眼科撮影装置について説明する。特に、実施形態に係る眼科撮影装置は、スウェプトソースタイプのＯＣＴの手法を適用可能である。なお、スウェプトソースタイプ以外のタイプ、例えばスペクトラルドメインタイプのＯＣＴを実行可能な眼科撮影装置に対して、この発明に係る構成を適用することも可能である。また、以下の実施形態ではＯＣＴ装置と眼底カメラとを組み合わせた装置について説明する。しかしながら、眼底カメラ以外のモダリティ、例えばＳＬＯ（Ｓｃａｎｎｉｎｇ  Ｌａｓｅｒ  Ｏｐｈｔｈａｌｍｏｓｃｏｐｅ）、スリットランプ、眼科手術用顕微鏡、光凝固装置などに、実施形態に係る構成を有するＯＣＴ装置を組み合わせることも可能である。また、実施形態に係る構成を、単体のＯＣＴ装置に組み込むことも可能である。
【００１４】
［構成］
図１に示すように、眼科撮影装置１は、眼底カメラユニット２、ＯＣＴユニット１００及び演算制御ユニット２００を含んで構成される。眼底カメラユニット２は、従来の眼底カメラとほぼ同様の光学系を有する。ＯＣＴユニット１００には、ＯＣＴを実行するための光学系が設けられている。演算制御ユニット２００は、各種の演算処理や制御処理等を実行するコンピュータを具備している。
【００１５】
〔眼底カメラユニット〕
図１に示す眼底カメラユニット２には、被検眼Ｅの眼底Ｅｆの表面形態を表す２次元画像（眼底像）を取得するための光学系が設けられている。眼底像には、観察画像や撮影画像などが含まれる。観察画像は、例えば、近赤外光を用いて所定のフレームレートで形成されるモノクロの動画像である。撮影画像は、例えば、可視光をフラッシュ発光して得られるカラー画像、または近赤外光若しくは可視光を照明光として用いたモノクロの静止画像であってもよい。眼底カメラユニット２は、これら以外の画像、例えばフルオレセイン蛍光画像やインドシアニングリーン蛍光画像や自発蛍光画像などを取得可能に構成されていてもよい。
【００１６】
眼底カメラユニット２には、被検者の顔を支持するための顎受けや額当てが設けられている。更に、眼底カメラユニット２には、照明光学系１０と撮影光学系３０が設けられている。照明光学系１０は眼底Ｅｆに照明光を照射する。撮影光学系３０は、この照明光の眼底反射光を撮像装置（ＣＣＤイメージセンサ（単にＣＣＤと呼ぶことがある）３５、３８）に導く。また、撮影光学系３０は、ＯＣＴユニット１００からの測定光を被検眼Ｅに導くとともに、被検眼Ｅを経由した測定光をＯＣＴユニット１００に導く。
【００１７】
照明光学系１０の観察光源１１は、例えばハロゲンランプまたはＬＥＤ（Ｌｉｇｈｔ  Ｅｍｉｔｔｉｎｇ  Ｄｉｏｄｅ）により構成される。観察光源１１から出力された光（観察照明光）は、曲面状の反射面を有する反射ミラー１２により反射され、集光レンズ１３を経由し、可視カットフィルタ１４を透過して近赤外光となる。更に、観察照明光は、撮影光源１５の近傍にて一旦集束し、ミラー１６により反射され、リレーレンズ１７、１８、絞り１９及びリレーレンズ２０を経由する。そして、観察照明光は、孔開きミラー２１の周辺部（孔部の周囲の領域）にて反射され、ダイクロイックミラー４６を透過し、対物レンズ２２に導かれる。
【００１８】
対物レンズ２２と被検眼Ｅとの間には、シャッター２４が挿脱される。シャッター２４は、遮蔽部材として、対物レンズ２２を通過し被検眼Ｅに向かう光を遮蔽する。また、シャッター２４は、被検眼Ｅに向かう光を吸光し、シャッター２４による反射を抑制する。シャッター２４の対物レンズ２２の側の面には、被検眼Ｅに向かう光の照射領域を含むように吸光部材が設けられていてもよい。このようなシャッター２４は、レンズ面への汚れの付着や傷の形成を防ぐレンズ保護や埃の進入等を防止するための対物レンズ２２の保護部材を兼ねる。シャッター２４は、少なくともＯＣＴユニット１００から対物レンズ２２に導かれてきた測定光を吸光するものでよいが、対物レンズ２２を通過する、測定光以外の光を吸光するものであってよい。後述のリファレンスデータを取得するときシャッター２４は測定光の光路に挿入され、それ以外のときシャッター２４は測定光の光路から退避される。以下、特に言及しない限りシャッター２４が測定光の光路から退避されているものとする。
【００１９】
シャッター２４が測定光の光路から退避されている場合、対物レンズ２２に導かれた観察照明光は、対物レンズ２２により屈折されて眼底Ｅｆを照明する。観察照明光の眼底反射光は、対物レンズ２２により屈折され、ダイクロイックミラー４６を透過し、孔開きミラー２１の中心領域に形成された孔部を通過し、ダイクロイックミラー５５を透過し、合焦レンズ３１を経由し、ミラー３２により反射される。更に、この眼底反射光は、ハーフミラー３３Ａを透過し、ダイクロイックミラー３３により反射され、集光レンズ３４によりＣＣＤイメージセンサ３５の受光面に結像される。ＣＣＤイメージセンサ３５は、例えば所定のフレームレートで眼底反射光を検出する。表示装置３には、ＣＣＤイメージセンサ３５により検出された眼底反射光に基づく画像（観察画像）が表示される。なお、撮影光学系３０のピントが前眼部に合わせられている場合、被検眼Ｅの前眼部の観察画像が表示される。
【００２０】
撮影光源１５は、例えばキセノンランプまたはＬＥＤにより構成される。撮影光源１５から出力された光（撮影照明光）は、観察照明光と同様の経路を通って眼底Ｅｆに照射される。撮影照明光の眼底反射光は、観察照明光のそれと同様の経路を通ってダイクロイックミラー３３まで導かれ、ダイクロイックミラー３３を透過し、ミラー３６により反射され、集光レンズ３７によりＣＣＤイメージセンサ３８の受光面に結像される。表示装置３には、ＣＣＤイメージセンサ３８により検出された眼底反射光に基づく画像（撮影画像）が表示される。なお、観察画像を表示する表示装置３と撮影画像を表示する表示装置３は、同一のものであってもよいし、異なるものであってもよい。また、被検眼Ｅを赤外光で照明して同様の撮影を行う場合には、赤外の撮影画像が表示される。また、撮影光源としてＬＥＤを用いることも可能である。
【００２１】
ＬＣＤ（Ｌｉｑｕｉｄ  Ｃｒｙｓｔａｌ  Ｄｉｓｐｌａｙ）３９は、固視標や視力測定用指標を表示する。固視標は被検眼Ｅを固視させるための指標であり、眼底撮影時やＯＣＴ計測時などに使用される。
【００２２】
ＬＣＤ３９から出力された光は、その一部がハーフミラー３３Ａにて反射され、ミラー３２に反射され、合焦レンズ３１及びダイクロイックミラー５５を経由し、孔開きミラー２１の孔部を通過し、ダイクロイックミラー４６を透過し、対物レンズ２２により屈折されて眼底Ｅｆに投影される。ＬＣＤ３９の画面上における固視標の表示位置を変更することにより、被検眼Ｅの固視位置を変更できる。
【００２３】
更に、眼底カメラユニット２には、従来の眼底カメラと同様にアライメント光学系５０とフォーカス光学系６０が設けられている。アライメント光学系５０は、被検眼Ｅに対する装置光学系の位置合わせ（アライメント）を行うための指標（アライメント指標）を生成する。フォーカス光学系６０は、被検眼Ｅに対してフォーカス（ピント）を合わせるための指標（スプリット指標）を生成する。
【００２４】
アライメント光学系５０のＬＥＤ５１から出力された光（アライメント光）は、絞り５２、５３及びリレーレンズ５４を経由してダイクロイックミラー５５により反射され、孔開きミラー２１の孔部を通過し、ダイクロイックミラー４６を透過し、対物レンズ２２により被検眼Ｅの角膜に投影される。
【００２５】
アライメント光の角膜反射光は、対物レンズ２２、ダイクロイックミラー４６及び上記孔部を経由し、その一部がダイクロイックミラー５５を透過し、合焦レンズ３１を通過し、ミラー３２により反射され、ハーフミラー３３Ａを透過し、ダイクロイックミラー３３に反射され、集光レンズ３４によりＣＣＤイメージセンサ３５の受光面に投影される。ＣＣＤイメージセンサ３５による受光像（アライメント指標）は、観察画像とともに表示装置３に表示される。ユーザは、従来の眼底カメラと同様の操作を行ってアライメントを実施する。また、演算制御ユニット２００がアライメント指標の位置を解析して光学系を移動させることによりアライメントを行ってもよい（オートアライメント機能）。
【００２６】
フォーカス調整を行う際には、照明光学系１０の光路上に反射棒６７の反射面が斜設される。フォーカス光学系６０のＬＥＤ６１から出力された光（フォーカス光）は、リレーレンズ６２を通過し、スプリット指標板６３により２つの光束に分離され、二孔絞り６４を通過し、ミラー６５に反射され、集光レンズ６６により反射棒６７の反射面に一旦結像されて反射される。更に、フォーカス光は、リレーレンズ２０を経由し、孔開きミラー２１に反射され、ダイクロイックミラー４６を透過し、対物レンズ２２により屈折されて眼底Ｅｆに投影される。
【００２７】
フォーカス光の眼底反射光は、アライメント光の角膜反射光と同様の経路を通ってＣＣＤイメージセンサ３５により検出される。ＣＣＤイメージセンサ３５による受光像（スプリット指標）は、観察画像とともに表示装置３に表示される。演算制御ユニット２００は、従来と同様に、スプリット指標の位置を解析して合焦レンズ３１及びフォーカス光学系６０を移動させてピント合わせを行う（オートフォーカス機能）。また、スプリット指標を視認しつつ手動でピント合わせを行ってもよい。
【００２８】
ダイクロイックミラー４６は、眼底撮影用の光路からＯＣＴ用の光路を分岐させている。ダイクロイックミラー４６は、ＯＣＴに用いられる波長帯の光を反射し、眼底撮影用の光を透過させる。このＯＣＴ用の光路には、ＯＣＴユニット１００側から順に、コリメータレンズユニット４０と、光路長変更部４１と、光スキャナ４２と、合焦レンズ４３と、ミラー４４と、リレーレンズ４５とが設けられている。
【００２９】
光路長変更部４１は、図１に示す矢印の方向に移動可能とされ、ＯＣＴ用の光路の光路長を変更する。この光路長の変更は、被検眼Ｅの眼軸長に応じた光路長の補正や、干渉状態の調整などに利用される。光路長変更部４１は、例えばコーナーキューブと、これを移動する機構とを含んで構成される。
【００３０】
光スキャナ４２は、被検眼Ｅの瞳孔と光学的に共役な位置に配置されている。光スキャナ４２は、ＯＣＴ用の光路を通過する光（測定光ＬＳ）の進行方向を変更する。それにより、被検眼Ｅを測定光ＬＳでスキャンすることができる。光スキャナ４２は、例えば、測定光ＬＳをｘ方向にスキャンするガルバノミラーと、ｙ方向にスキャンするガルバノミラーと、これらを独立に駆動する機構とを含んで構成される。それにより、測定光ＬＳをｘｙ平面上の任意の方向にスキャンすることができる。
【００３１】
〔ＯＣＴユニット〕
ＯＣＴユニット１００の構成の一例を図２に示す。ＯＣＴユニット１００には、被検眼ＥのＯＣＴ画像を取得するための光学系が設けられている。この光学系は、従来のスウェプトソースタイプのＯＣＴ装置と同様の構成を有する。すなわち、この光学系は、波長掃引型（波長走査型）光源からの光を測定光と参照光とに分割し、被検眼Ｅからの測定光の戻り光と参照光路を経由した参照光とを干渉させて干渉光を生成し、この干渉光を検出する干渉光学系である。干渉光学系による干渉光の検出結果（検出信号）は、干渉光のスペクトルを示す信号であり、演算制御ユニット２００に送られる。
【００３２】
光源ユニット１０１は、一般的なスウェプトソースタイプのＯＣＴ装置と同様に、出射光の波長を掃引（走査）可能な波長掃引型（波長走査型）光源を含んで構成される。波長掃引型光源は、共振器を含むレーザ光源を含んで構成される。光源ユニット１０１は、人眼では視認できない近赤外の波長帯において、出力波長を時間的に変化させる。
【００３３】
光源ユニット１０１から出力された光Ｌ０は、光ファイバ１０２により偏波コントローラ１０３に導かれてその偏光状態が調整される。偏波コントローラ１０３は、例えばループ状にされた光ファイバ１０２に対して外部から応力を与えることで、光ファイバ１０２内を導かれる光Ｌ０の偏光状態を調整する。
【００３４】
偏波コントローラ１０３により偏光状態が調整された光Ｌ０は、光ファイバ１０４によりファイバカプラ１０５に導かれて測定光ＬＳと参照光ＬＲとに分割される。
【００３５】
参照光ＬＲは、光ファイバ１１０によりコリメータ１１１に導かれて平行光束となる。平行光束となった参照光ＬＲは、光路長補正部材１１２及び分散補償部材１１３を経由し、コーナーキューブ１１４に導かれる。光路長補正部材１１２は、参照光ＬＲの光路長（光学距離）と測定光ＬＳの光路長とを合わせるための遅延手段として作用する。分散補償部材１１３は、参照光ＬＲと測定光ＬＳとの間の分散特性を合わせるための分散補償手段として作用する。
【００３６】
コーナーキューブ１１４は、コリメータ１１１により平行光束となった参照光ＬＲの進行方向を逆方向に折り返す。コーナーキューブ１１４に入射する参照光ＬＲの光路と、コーナーキューブ１１４から出射する参照光ＬＲの光路とは平行である。また、コーナーキューブ１１４は、参照光ＬＲの入射光路及び出射光路に沿う方向に移動可能とされている。この移動により参照光ＬＲの光路の長さが変更される。
【００３７】
なお、図１及び図２に示す構成においては、測定光ＬＳの光路（測定光路、測定アーム）の長さを変更するための光路長変更部４１と、参照光ＬＲの光路（参照光路、参照アーム）の長さを変更するためのコーナーキューブ１１４の双方が設けられているが、これらのうちのいずれか一方が設けられていてもよい。また、これら以外の光学部材を用いて、測定光路長と参照光路長との差を変更することも可能である。
【００３８】
コーナーキューブ１１４を経由した参照光ＬＲは、分散補償部材１１３及び光路長補正部材１１２を経由し、コリメータ１１６によって平行光束から集束光束に変換されて光ファイバ１１７に入射し、偏波コントローラ１１８に導かれて参照光ＬＲの偏光状態が調整される。
【００３９】
偏波コントローラ１１８は、例えば、偏波コントローラ１０３と同様の構成を有する。偏波コントローラ１１８により偏光状態が調整された参照光ＬＲは、光ファイバ１１９によりアッテネータ１２０に導かれて、演算制御ユニット２００の制御の下で光量が調整される。アッテネータ１２０により光量が調整された参照光ＬＲは、光ファイバ１２１によりファイバカプラ１２２に導かれる。
【００４０】
一方、ファイバカプラ１０５により生成された測定光ＬＳは、光ファイバ１２７により導かれ、コリメータレンズユニット４０により平行光束とされる。平行光束にされた測定光ＬＳは、光路長変更部４１、光スキャナ４２、合焦レンズ４３、ミラー４４、及びリレーレンズ４５を経由してダイクロイックミラー４６に到達する。そして、測定光ＬＳは、ダイクロイックミラー４６により反射され、対物レンズ２２により屈折されて被検眼Ｅに照射される。測定光ＬＳは、被検眼Ｅの様々な深さ位置において散乱（反射を含む）される。このような後方散乱光を含む測定光ＬＳの戻り光は、往路と同じ経路を逆向きに進行してファイバカプラ１０５に導かれ、光ファイバ１２８を経由してファイバカプラ１２２に到達する。
【００４１】
ファイバカプラ１２２は、光ファイバ１２８を介して入射された測定光ＬＳと、光ファイバ１２１を介して入射された参照光ＬＲとを合成して（干渉させて）干渉光を生成する。ファイバカプラ１２２は、所定の分岐比（例えば１：１）で、測定光ＬＳと参照光ＬＲとの干渉光を分岐することにより、一対の干渉光ＬＣを生成する。ファイバカプラ１２２から出射した一対の干渉光ＬＣは、それぞれ光ファイバ１２３、１２４により検出器１２５に導かれる。
【００４２】
検出器１２５は、例えば一対の干渉光ＬＣをそれぞれ検出する一対のフォトディテクタを有し、これらによる検出結果の差分を出力するバランスドフォトダイオード（Ｂａｌａｎｃｅｄ  Ｐｈｏｔｏ  Ｄｉｏｄｅ）である。検出器１２５は、その検出結果（検出信号）をＤＡＱ（Ｄａｔａ  Ａｃｑｕｉｓｉｔｉｏｎ  Ｓｙｓｔｅｍ）１３０に送る。ＤＡＱ１３０には、光源ユニット１０１からクロックＫＣが供給される。クロックＫＣは、光源ユニット１０１において、波長掃引型光源により所定の波長範囲内で掃引（走査）される各波長の出力タイミングに同期して生成される。光源ユニット１０１は、例えば、各出力波長の光Ｌ０を分岐することにより得られた２つの分岐光の一方を光学的に遅延させた後、これらの合成光を検出した結果に基づいてクロックＫＣを生成する。ＤＡＱ１３０は、クロックＫＣに基づき、検出器１２５の検出結果をサンプリングする。ＤＡＱ１３０は、サンプリングされた検出器１２５の検出結果を演算制御ユニット２００に送る。演算制御ユニット２００は、例えば一連の波長走査毎に（Ａライン毎に）、検出器１２５により得られた検出結果に基づくスペクトル分布にフーリエ変換等を施すことにより、各Ａラインにおける反射強度プロファイルを形成する。更に、演算制御ユニット２００は、各Ａラインの反射強度プロファイルを画像化することにより画像データを形成する。
【００４３】
〔演算制御ユニット〕
演算制御ユニット２００の構成について説明する。演算制御ユニット２００は、検出器１２５から入力される検出信号を解析して被検眼ＥのＯＣＴ画像を形成する。そのための演算処理は、従来のスウェプトソースタイプのＯＣＴ装置と同様である。
【００４４】
また、演算制御ユニット２００は、眼底カメラユニット２、表示装置３及びＯＣＴユニット１００の各部を制御する。例えば演算制御ユニット２００は、被検眼ＥのＯＣＴ画像を表示装置３に表示させる。
【００４５】
演算制御ユニット２００は、例えば、プロセッサ、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ハードディスクドライブ、通信インターフェイスなどを含む。また、演算制御ユニット２００は、キーボードやマウス等の操作デバイス（入力デバイス）や、ＬＣＤ等の表示デバイスを備えていてもよい。プロセッサは、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（例えば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路により実現される。ハードディスクドライブ等の記憶装置には、眼科撮影装置１を制御するためのコンピュータプログラムが記憶されている。演算制御ユニット２００は、例えば、記憶回路や記憶装置に格納されているプログラムを読み出し実行することで、実施形態に係る機能を実現する。
【００４６】
〔制御系〕
眼科撮影装置１の制御系の構成について図３を参照しつつ説明する。なお、図３においては、眼科撮影装置１のいくつかの構成要素が省略されており、この実施形態を説明するために特に必要な構成要素が選択的に示されている。
【００４７】
（制御部）
眼科撮影装置１の制御系は、制御部２１０を中心に構成される。制御部２１０は、例えば、前述のプロセッサ、ＲＡＭ、ＲＯＭ、ハードディスクドライブ、通信インターフェイス等を含んで構成される。制御部２１０には、主制御部２１１と記憶部２１２が設けられている。
【００４８】
（主制御部）
主制御部２１１は前述の各種制御を行う。特に、図３に示すように、主制御部２１１は、眼底カメラユニット２の撮影合焦駆動部３１Ａ、ＣＣＤイメージセンサ３５及び３８、ＬＣＤ３９、光路長変更部４１、光スキャナ４２、ＯＣＴ合焦駆動部４３Ａ及びシャッター駆動部２４Ａなどを制御する。また、主制御部２１１は、ＯＣＴユニット１００の光源ユニット１０１、参照駆動部１１４Ａ、検出器１２５及びＤＡＱ１３０などを制御する。
【００４９】
撮影合焦駆動部３１Ａは、合焦レンズ３１を光軸方向に移動させる。それにより、撮影光学系３０の合焦位置が変更される。なお、主制御部２１１は、図示しない光学系駆動部を制御して、眼底カメラユニット２に設けられた光学系を３次元的に移動させることができる。この制御は、アライメントやトラッキングにおいて用いられる。トラッキングとは、被検眼Ｅの運動に合わせて装置光学系を移動させるものである。トラッキングを行う場合には、事前にアライメントとピント合わせが実行される。トラッキングは、被検眼Ｅを動画撮影して得られる画像に基づき被検眼Ｅの位置や向きに合わせて装置光学系をリアルタイムで移動させることにより、アライメントとピントが合った好適な位置関係を維持する機能である。
【００５０】
ＯＣＴ合焦駆動部４３Ａは、測定光路の光軸に沿って合焦レンズ４３を移動させる。それにより、測定光ＬＳの合焦位置が変更される。測定光ＬＳの合焦位置は、測定光ＬＳのビームウェストの深さ位置（ｚ位置）に相当する。
【００５１】
シャッター駆動部２４Ａは、測定光路にシャッター２４を挿入したり、測定光路からシャッター２４を退避させたりする。それにより、測定光路にシャッター２４が挿入されているとき、対物レンズ２２を通過して被検眼Ｅに向かう光のうち少なくとも測定光はシャッター２４で反射されることなく吸光される。また、測定光路からシャッター２４が退避されているとき、対物レンズ２２を通過した光は被検眼Ｅに照射される。
【００５２】
参照駆動部１１４Ａは、参照光路に設けられたコーナーキューブ１１４を移動させる。それにより、参照光路の長さが変更される。なお、前述したように、光路長変更部４１と、コーナーキューブ１１４及び参照駆動部１１４Ａとのいずれか一方のみが設けられた構成であってもよい。
【００５３】
（記憶部）
記憶部２１２は、各種のデータを記憶する。記憶部２１２に記憶されるデータとしては、例えば、ＯＣＴ画像の画像データ、眼底像の画像データ、後述のリファレンス用のＯＣＴ画像の画像データ、被検眼情報などがある。記憶部２１２には、干渉光の検出結果（検出信号、干渉信号）と後述のリファレンス用の干渉光の検出結果が記憶されていてもよい。被検眼情報は、患者ＩＤや氏名などの被検者に関する情報や、左眼／右眼の識別情報などの被検眼に関する情報を含む。また、記憶部２１２には、眼科撮影装置１を動作させるための各種プログラムやデータが記憶されている。
【００５４】
（画像形成部）
画像形成部２２０は、検出器１２５（ＤＡＱ１３０）からの検出信号に基づいて、眼底Ｅｆの断面像の画像データを形成する。すなわち、画像形成部２２０は、干渉光学系による干渉光ＬＣの検出結果に基づいて被検眼Ｅの画像データを形成する。この処理には、従来のスウェプトソースタイプのＯＣＴと同様に、フィルタ処理、ＦＦＴ（Ｆａｓｔ  Ｆｏｕｒｉｅｒ  Ｔｒａｎｓｆｏｒｍ）などの処理が含まれている。このようにして取得される画像データは、複数のＡライン（被検眼Ｅ内における各測定光ＬＳの経路）における反射強度プロファイルを画像化することにより形成された一群の画像データを含むデータセットである。
【００５５】
また、画像形成部２２０は、後述の解析部２３１による解析結果に基づいて被検眼Ｅの画像データを形成することが可能である。
【００５６】
画質を向上させるために、同じパターンでのスキャンを複数回繰り返して収集された複数のデータセットを重ね合わせる（加算平均する）ことができる。
【００５７】
画像形成部２２０は、例えば、前述の回路基板を含んで構成される。なお、この明細書では、「画像データ」と、それに基づく「画像」とを同一視することがある。また、被検眼Ｅの部位とその画像とを同一視することもある。
【００５８】
（データ処理部）
データ処理部２３０は、画像形成部２２０により形成されたＯＣＴ画像に対して各種のデータ処理（画像処理）や解析処理を施す。例えば、データ処理部２３０は、画像の輝度補正や分散補正等の補正処理を実行する。また、データ処理部２３０は、眼底カメラユニット２により得られた画像（眼底像、前眼部像等）に対して各種の画像処理や解析処理を施す。
【００５９】
データ処理部２３０は、解析部２３１を含む。解析部２３１は、前述のＯＣＴ画像に対する解析処理の他に、ＯＣＴ計測によりえら得た干渉光の検出結果（検出信号）とリファレンスデータとに対する解析処理を実行することが可能である。
【００６０】
解析部２３１は、被検眼Ｅに対するＯＣＴ計測により取得された干渉光の検出結果（第２検出結果）と、別途に取得されたリファレンスデータ（第１検出結果）とを解析することにより、当該検出結果又はそれに基づく画像のノイズ成分を除去する。上記の干渉光の検出結果は、測定光路からシャッター２４が退避された状態で干渉光学系により取得される。リファレンスデータは、上記の干渉光の検出結果が得られたときと同じ計測条件（撮影条件）で、測定光路にシャッター２４が配置された状態で干渉光学系により干渉光の検出結果として取得される。計測条件は、例えば、干渉光学系の計測経路における光学部材の設定状態である。このような光学部材の設定状態には、合焦レンズ４３の位置、光スキャナ４２によるスキャン長やスキャンパターン、光路長変更部４１やコーナーキューブ１１４による光路長の変更状態、偏波コントローラ１０３、１１８による偏光状態などがある。
【００６１】
アーチファクトの位置やその強度は、上記のような光学部材の設定状態に依存する。従って、ＯＣＴ計測により取得された干渉光の検出結果と上記のリファレンスデータには、上記のような光学部材の設定状態に起因した共通のノイズ成分が含まれる。そこで、上記のような光学部材の設定状態が固定された状態で、被検眼Ｅに対するＯＣＴ計測で得られた干渉光の検出結果と上記のリファレンスデータとを取得し、取得された干渉光の検出結果からリファレンスデータを差し引く（減算する）。それにより、ノイズフリーの干渉光の検出結果が得られる。この干渉光の検出結果に基づいて画像形成部２２０により画像データを形成することで、アーチファクト等のノイズが除去された画像の取得が可能である。
【００６２】
データ処理部２３０は、断面像の間の画素を補間する補間処理などの公知の画像処理を実行することにより、被検眼Ｅのボリュームデータ（ボクセルデータ）を形成することができる。ボリュームデータに基づく画像を表示させる場合、データ処理部２３０は、このボリュームデータに対してレンダリング処理を施して、特定の視線方向から見たときの擬似的な３次元画像を形成する。
【００６３】
データ処理部２３０は、眼底像とＯＣＴ画像との位置合わせを行うことができる。眼底像とＯＣＴ画像とが並行して取得される場合には、双方の光学系が同軸であることから、（ほぼ）同時に取得された眼底像とＯＣＴ画像とを、撮影光学系３０の光軸を基準として位置合わせすることができる。また、眼底像とＯＣＴ画像との取得タイミングに関わらず、ＯＣＴ画像のうち眼底Ｅｆの相当する画像領域の少なくとも一部をｘｙ平面に投影して得られる正面画像と、眼底像との位置合わせをすることにより、そのＯＣＴ画像とその眼底像とを位置合わせすることも可能である。この位置合わせ手法は、眼底像取得用の光学系とＯＣＴ用の光学系とが同軸でない場合においても適用可能である。また、双方の光学系が同軸でない場合であっても、双方の光学系の相対的な位置関係が既知であれば、この相対位置関係を参照して同軸の場合と同様の位置合わせを実行することが可能である。
【００６４】
以上のように機能するデータ処理部２３０は、例えば、プロセッサ、ＲＡＭ、ＲＯＭ、ハードディスクドライブ、回路基板等を含んで構成される。ハードディスクドライブ等の記憶装置には、上記機能をプロセッサに実行させるコンピュータプログラムがあらかじめ格納されている。
【００６５】
（ユーザインターフェイス）
ユーザインターフェイス（Ｕｓｅｒ  Ｉｎｔｅｒｆａｃｅ：以下、ＵＩ）２４０には、表示部２４１と操作部２４２とが含まれる。表示部２４１は、前述した演算制御ユニット２００の表示デバイスや表示装置３を含んで構成される。操作部２４２は、前述した演算制御ユニット２００の操作デバイスを含んで構成される。操作部２４２には、眼科撮影装置１の筐体や外部に設けられた各種のボタンやキーが含まれていてもよい。また、表示部２４１は、眼底カメラユニット２の筺体に設けられたタッチパネルなどの各種表示デバイスを含んでいてもよい。
【００６６】
なお、表示部２４１と操作部２４２は、それぞれ個別のデバイスとして構成される必要はない。例えばタッチパネルのように、表示機能と操作機能とが一体化されたデバイスを用いることも可能である。その場合、操作部２４２は、このタッチパネルとコンピュータプログラムとを含んで構成される。操作部２４２に対する操作内容は、電気信号として制御部２１０に入力される。また、表示部２４１に表示されたグラフィカルユーザインターフェイス（ＧＵＩ）と、操作部２４２とを用いて、操作や情報入力を行うようにしてもよい。
【００６７】
ＯＣＴユニット１００、コリメータレンズユニット４０、光路長変更部４１、光スキャナ４２、合焦レンズ４３、ミラー４４、及びリレーレンズ４５は、この実施形態に係る「干渉光学系」の一例である。シャッター２４は、この実施形態に係る「光学部材」の一例である。
【００６８】
［動作例］
眼科撮影装置１の動作について説明する。
【００６９】
図４に、実施形態の比較例の説明図を示す。図４は、比較例における眼科撮影装置により得られたＯＣＴ画像を模式的に表す。
【００７０】
比較例における眼科撮影装置では、光スキャナ４２による測定光の偏光制御の中心（スキャナ座標系の原点）が対物レンズ２２の光軸に一致するように設けられている。このような位置調整は、設計段階や、出荷工程やメンテナンス工程で行われる。それにより、本比較例に係る眼科撮影装置では、被検眼Ｅの注目部位が対物レンズ２２の光軸の位置に配置されるようにアライメントが行われ、光軸を含むスキャンによる撮影頻度が高くなる。
【００７１】
ところが、対物レンズ２２の光軸を含むスキャンにより取得されたＯＣＴ画像ＩＭＧ１では、図４に示すように、対物レンズ２２のレンズ面の頂点からの反射光がアーチファクトＮ１として現れる場合がある。例えば、図４に示すように中心窩ＣＦを注目部位とする断層画像を観察する目的で撮影したにもかかわらず、注目部位付近にアーチファクトＮ１が現れてしまい、画像中の注目部位付近の観察が難しくなる。この現象は、コヒーレンス長が長くなるほど、眼科撮影装置が有する光学系の反射に起因したアーチファクトがＯＣＴ画像に現れやすくなる。
【００７２】
そこで、実施形態では、上記のように、ＯＣＴ計測により取得された干渉光の検出結果と別途に取得されたリファレンスデータとを解析することによって、当該検出結果又はそれに基づく画像のノイズ成分が除去される。それにより、光学系の反射だけでなくコヒーレンスリバイバル現象に起因したアーチファクト等のノイズが描出されないＯＣＴ画像を取得することが可能になる。特に、撮影頻度が高いＯＣＴ画像（対物レンズ２２の光軸を含むスキャンにより取得されたＯＣＴ画像）において、注目部位付近の詳細な観察が可能になる。
【００７３】
図５に、眼科撮影装置１の動作例のフロー図を示す。この動作例には、画像に基づく被検眼Ｅと装置光学系との位置合わせの処理と、画像に基づくスキャン領域の設定処理とが含まれる。位置合わせの処理には、ＯＣＴ計測のためのアライメント（オートアライメント）、ピント合わせ（オートフォーカス）、トラッキング（オートトラッキング）が含まれる。
【００７４】
（Ｓ１）
まず、主制御部２１１は、シャッター駆動部２４Ａを制御することにより測定光路からシャッター２４を退避させる。
【００７５】
（Ｓ２）
次に、観察光源１１からの照明光（可視カットフィルタ１４により近赤外光となる）で眼底Ｅｆを連続照明することにより、眼底Ｅｆの近赤外動画像の取得を開始する。この近赤外動画像は、連続照明が終了するまでリアルタイムで得られる。この動画像を構成する各フレームの画像は、フレームメモリ（記憶部２１２）に一時記憶され、データ処理部２３０に逐次送られる。
【００７６】
なお、被検眼Ｅには、アライメント光学系５０によるアライメント指標と、フォーカス光学系６０によるスプリット指標とが投影されている。よって、近赤外動画像にはアライメント指標とスプリット指標とが描出されている。これら指標を用いてアライメントやピント合わせを行うことができる。また、被検眼Ｅには、ＬＣＤ３９による固視標も投影されている。被検者は、この固視標を凝視するように指示を受ける。
【００７７】
（Ｓ３）
データ処理部２３０は、光学系によって被検眼Ｅを動画撮影することにより得られるフレームを逐次に解析して、アライメント視標の位置を求め、光学系の移動量を算出する。制御部２１０は、データ処理部２３０により算出された光学系の移動量に基づいて図示しない光学系駆動部を制御することにより、オートアライメントを行う。
【００７８】
（Ｓ４）
データ処理部２３０は、光学系によって被検眼Ｅを動画撮影することにより得られるフレームを逐次に解析して、スプリット視標の位置を求め、合焦レンズ３１の移動量を算出する。制御部２１０は、データ処理部２３０により算出された合焦レンズ３１の移動量に基づいて撮影合焦駆動部３１Ａを制御することにより、オートフォーカスを行う。
【００７９】
（Ｓ５）
続いて、制御部２１０は、オートトラッキングを開始する。具体的には、データ処理部２３０は、光学系によって被検眼Ｅを動画撮影することにより逐次に得られるフレームをリアルタイムで解析して、被検眼Ｅの動き（位置の変化）を監視する。制御部２１０は、逐次に取得される被検眼Ｅの位置に合わせて光学系を移動させるように図示しない光学系駆動部を制御する。それにより、被検眼Ｅの動きに対して光学系をリアルタイムで追従させることができ、アライメントとピントが合った好適な位置関係を維持することが可能となる。
【００８０】
（Ｓ６）
制御部２１０は、近赤外動画像を表示部２４１にリアルタイムで表示させる。ユーザは、操作部２４２を用いることにより、この近赤外動画像上にスキャン領域を設定する。設定されるスキャン領域は１次元領域でも２次元領域でもよい。
【００８１】
なお、測定光ＬＳのスキャン態様や注目部位（視神経乳頭、黄斑部、病変部等）があらかじめ設定されている場合などには、これら設定内容に基づいて制御部２１０がスキャン領域を設定するように構成することも可能である。具体的には、データ処理部２３０による画像解析により注目部位を特定し、制御部２１０が、この注目部位を含むように（例えば、この注目部位が中心に位置するように）所定パターンの領域を設定する。
【００８２】
（Ｓ７）
制御部２１０は、光源ユニット１０１や光路長変更部４１を制御するとともに、Ｓ５で設定されたスキャン領域に基づいて光スキャナ４２を制御することにより、眼底ＥｆのＯＣＴ計測を行う。ＯＣＴ計測により取得された干渉光の検出結果は、記憶部２１２に保存される。
【００８３】
（Ｓ８）
次に、主制御部２１１は、シャッター駆動部２４Ａを制御することにより測定光路にシャッター２４を挿入する。
【００８４】
（Ｓ９）
続いて、制御部２１０は、Ｓ７と同様の計測条件で眼底ＥｆのＯＣＴ計測を行う。ＯＣＴ計測により取得された干渉光の検出結果はリファレンスデータとして記憶部２１２に保存される。
【００８５】
（Ｓ１０）
データ処理部２３０は、解析部２３１により、Ａラインごとに、Ｓ７で取得された干渉光の検出結果からＳ９で取得された干渉光の検出結果を差し引くことで、新たな干渉光の検出結果を生成する。生成された新たな干渉光の検出結果は、記憶部２１２に保存される。
【００８６】
（Ｓ１１）
画像形成部２２０は、Ｓ１０において記憶部２１２に保存された新たな干渉光の検出結果に基づいて、当該Ａラインの断層像（画像）を形成する。走査態様が３次元スキャンである場合、データ処理部２３０は、画像形成部２２０により形成された複数の断層像に基づいて眼底Ｅｆの３次元画像を形成する。以上で、この動作例は終了となる（エンド）。
【００８７】
［変形例］
（第１変形例）
前述の実施形態では、干渉光の検出結果として画像形成前の干渉光の検出信号（干渉信号）を例に説明したが、実施形態はこれに限定されるものではない。例えば、干渉光の検出結果は、干渉光の検出信号に基づいて形成された画像（画像データ）であってよい。
【００８８】
この場合、解析部は、被検眼Ｅに対するＯＣＴ計測により取得されたＯＣＴ画像（第２検出結果）と、別途に取得されたリファレンス画像（第１検出結果）とを解析することにより、ＯＣＴ計測により取得された干渉光の検出結果に基づく画像のノイズ成分を除去する。解析部は、公知の画像間の減算処理を行うことで、例えば、画素単位でノイズ成分が除去された画像を生成する。
【００８９】
（第２変形例）
前述の実施形態又は第１変形例では、シャッター２４が対物レンズ２２を通過し被検眼Ｅに向かう光を吸光する場合について説明したが、実施形態に係る構成はこれに限定されるものではない。例えば、シャッター２４は、対物レンズ２２を通過し被検眼Ｅに向かう光を測定光路とは異なる方向に反射（偏向）してもよい。第２変形例では、シャッター２４の対物レンズ２２の側の面には、被検眼Ｅに向かう光の照射領域を含むように反射部材が設けられていてもよい。反射部材は、測定光に対する反射率が低いものが用いられる。この場合、装置内部での反射光の影響を低減するために、シャッター２４により反射された光を吸光する吸光部材を含む光学素子が別途に設けられていてもよい。
【００９０】
（第３変形例）
前述の実施形態において、シャッター２４は、対物レンズ２２を通過し被検眼Ｅに向かう光を測定光路とは異なる方向に屈折させてもよい。すなわち、第３変形例では、シャッター２４は、対物レンズ２２を通過し被検眼Ｅに向かう光を屈折させる屈折光学部材を含んでもよい。この場合、装置内部での屈折光の影響を低減するために、シャッター２４により屈折された光を吸光する吸光部材を含む光学素子が別途に設けられていてもよい。
【００９１】
（第４変形例）
前述の実施形態又はその変形例では、被検眼Ｅと対物レンズ２２との間の測定光路にシャッター２４が挿脱される場合について説明したが、実施形態に係る構成はこれに限定されるものではない。
【００９２】
図６に、実施形態の第４変形例に係る眼科撮影装置の要部を模式的に示す。第４変形例では、対物レンズ２２と合焦レンズ４３との間の測定光路に対してシャッター２４が挿脱される。それにより、光源側から少なくとも合焦レンズ４３までの光学系に起因したノイズを除去することが可能になる。また、図６に示す位置ではなく、測定光路の任意の位置でシャッター２４が挿脱されるような構成であってもよい。
【００９３】
（第５変形例）
図７に、実施形態の第５変形例に係る眼科撮影装置の要部を模式的に示す。第５変形例に係る眼科撮影装置は、対物レンズ２２と被検眼Ｅとの間に配置可能な前置レンズ２３を含む。前置レンズ２３は、手動又は自動で対物レンズ２２と被検眼Ｅとの間に配置可能である。対物レンズ２２と被検眼Ｅとの間に前置レンズ２３が配置された場合、シャッター２４は、前置レンズ２３と被検眼Ｅとの間に配置することが可能である。それにより、光源側から前置レンズ２３までの光学系に起因したノイズが除去された画像を取得することが可能になる。
【００９４】
（第６変形例）
図８に、実施形態の第６変形例に係る眼科撮影装置の外観構成の一例を示す。眼科撮影装置１は、ベース３００と、架台３１０と、ヘッド部４００と、顔受け部５００と、ＵＩ２４０とを含む。ヘッド部４００には、図１及び図２に示す光学系が収容される。架台３１０は、ベース３００に対して前後左右に移動可能とされる。ヘッド部４００は、架台３１０と一体的に構成されている。顔受け部５００は、ベース３００と一体的に構成されている。
【００９５】
顔受け部５００には、顎受け６００と額当て７００とが設けられている。顔受け部５００により被検者（図示を略す）の顔が固定される。検者は、例えば、眼科撮影装置１を挟んで被検者の反対側に位置して検査を行う。ＵＩ２４０は、検者側の位置に配置されている。ヘッド部４００は、ＵＩ２４０に対する操作によって前後左右に移動される。また、ヘッド部４００は、ＵＩ２４０に対する操作により上下方向に移動される。これら操作によって、顔受け部５００に保持されている被検者の顔に対するヘッド部４００の位置が変わる。なお、左右方向の移動は、例えば、眼科撮影装置１による検査対象を左眼から右眼に又は右眼から左眼に切り替えるために行われる。
【００９６】
シャッター２４は、顔受け部５００のヘッド部４００側に設けられる。シャッター２４は、顎受け６００又は額当て７００のヘッド部４００側のに設けられる。すなわち、シャッター２４は、顔受け部５００の対物レンズ側に設けられる。顔受け部５００と一体的に移動可能なベース３００と対物レンズ２２が収容されたヘッド部４００とを相対的に移動することにより、ヘッド部４００に収容された対物レンズ２２を通過する測定光の光路に対してシャッター２４を挿脱させることが可能になる。顔受け部５００は、実施形態に係る「支持部」の一例である。
【００９７】
［効果］
この実施形態に係る眼科撮影装置の効果について説明する。
【００９８】
実施形態に係る眼科撮影装置は、対物レンズ（対物レンズ２２）と、干渉光学系（ＯＣＴユニット１００からリレーレンズ４５までの光学系）と、画像形成部（画像形成部２２０）と、光学部材（シャッター２４）と、解析部（解析部２３１）とを含む。干渉光学系は、光源（光源ユニット１０１）からの光（光Ｌ０）を測定光（測定光ＬＳ）と参照光（参照光ＬＲ）とに分割し、測定光を対物レンズを介して被検眼（被検眼Ｅ）に入射させ、被検眼から出射し対物レンズを通過した測定光の戻り光と参照光との干渉光（干渉光ＬＣ）を検出する。画像形成部は、干渉光学系により取得された干渉光の検出結果に基づいて被検眼の画像を形成する。光学部材は、測定光の光路に配置可能であり、測定光を吸光する。解析部は、光路に光学部材が配置された状態で干渉光学系により取得された干渉光の第１検出結果と、光路から光学部材が退避された状態で干渉光学系により取得された干渉光の第２検出結果とを解析することにより、第２検出結果又はそれに基づく画像のノイズを除去する。
【００９９】
実施形態に係る眼科撮影装置は、対物レンズ（対物レンズ２２）と、干渉光学系（ＯＣＴユニット１００からリレーレンズ４５までの光学系）と、画像形成部（画像形成部２２０）と、光学部材（シャッター２４）と、解析部（解析部２３１）とを含む。干渉光学系は、光源（光源ユニット１０１）からの光（光Ｌ０）を測定光（測定光ＬＳ）と参照光（参照光ＬＲ）とに分割し、測定光を対物レンズを介して被検眼（被検眼Ｅ）に入射させ、被検眼から出射し対物レンズを通過した測定光の戻り光と参照光との干渉光（干渉光ＬＣ）を検出する。画像形成部は、干渉光学系により取得された干渉光の検出結果に基づいて被検眼の画像を形成する。光学部材は、測定光の光路に配置可能であり、測定光を光路と異なる方向に偏向する。解析部は、光路に光学部材が配置された状態で干渉光学系により取得された干渉光の第１検出結果と、光路から光学部材が退避された状態で干渉光学系により取得された干渉光の第２検出結果とを解析することにより、第２検出結果又はそれに基づく画像のノイズを除去する。
【０１００】
上記のいずれかの構成によれば、測定光の光路に対する光学部材の挿脱により、干渉光学系により被検眼に測定光を照射して取得された干渉光の第２検出結果とは別途に、干渉光学系の状態に起因したノイズ成分が含まれる干渉光の第１検出結果を取得することができる。それにより、干渉光学系の状態に関わらず、第１検出結果と第２検出結果とを解析して、第２検出結果又はそれに基づく画像のノイズを、容易、かつ、高精度に除去することができる。従って、コヒーレンス長やコヒーレンスリバイバル間隔にかかわらず、光学系の反射やコヒーレンスリバイバル現象に基づくアーチファクトが除去された画像の取得が可能になる。
【０１０１】
また、実施形態に係る眼科撮影装置では、光学部材は、対物レンズと被検眼との間に配置可能であってよい。
【０１０２】
このような構成によれば、簡素な構成で、光学系に起因したノイズが除去された画像の取得が可能になる。
【０１０３】
また、実施形態に係る眼科撮影装置では、光学部材は、対物レンズの保護部材を兼ねてもよい。
【０１０４】
このような構成によれば、装置が未使用のときの対物レンズの保護も可能な眼科撮影装置を提供することができるようになる。
【０１０５】
また、実施形態に係る眼科撮影装置では、対物レンズと被検眼との間に前置レンズが配置されている場合、光学部材は、前置レンズと被検眼との間に配置可能であってよい。
【０１０６】
このような構成によれば、前置レンズを用いる場合であっても、光源側から前置レンズまでの光学系に起因したノイズが除去された画像を取得することが可能になる。
【０１０７】
また、実施形態に係る眼科撮影装置は、干渉光学系は、測定光の光路に配置された合焦レンズ（合焦レンズ４３）を含み、光学部材は、対物レンズと合焦レンズとの間に配置可能であってよい。
【０１０８】
このような構成によれば、光源側から少なくとも合焦レンズまでの光学系に起因したノイズが除去された画像を取得することが可能になる。
【０１０９】
また、実施形態に係る眼科撮影装置は、被検者の顔を支持する支持部（顔受け部５００）を含み、光学部材は、支持部の対物レンズ側に設けられていてよい。
【０１１０】
このような構成によれば、対物レンズと支持部とを相対移動することにより、光学系に起因したノイズが除去された画像を取得することが可能になる。
【０１１１】
以上に説明した構成は、この発明を好適に実施するための一例に過ぎない。よって、この発明の要旨の範囲内における任意の変形（省略、置換、付加等）を適宜に施すことが可能である。適用される構成は、例えば目的に応じて選択される。また、適用される構成に応じ、当業者にとって自明の作用効果や、本明細書において説明された作用効果が得られる。
【０１１２】
前述の実施形態又はその変形例において、ＯＣＴ画像中にアーチファクト（ノイズ）が描出される領域を特定し、特定された描出領域を含む部分領域についてリファレンスデータを取得し、少なくとも描出領域について上記の検出結果の減算を行ってもよい。
【０１１３】
前述の実施形態又はその変形例では、ＯＣＴの被測定物体が被検眼（眼底）である場合について説明したが、前述の実施形態又はその変形例は被検眼以外の被測定物体に対してＯＣＴを実行するものに適用可能である。被測定物体は生体部位でなくてもよい。
【符号の説明】
【０１１４】
１  眼科撮影装置
２  眼底カメラユニット
２２  対物レンズ
２３  前置レンズ
２４  シャッター
１００  ＯＣＴユニット
２００  演算制御ユニット
２１０  制御部
２１１  主制御部
２１２  記憶部
２２０  画像形成部
２３０  データ処理部
２３１  解析部
Ｅ  被検眼
【図１】
0006616659.tif 000002
【図２】
0006616659.tif 000003
【図３】
0006616659.tif 000004
【図４】
0006616659.tif 000005
【図５】
0006616659.tif 000006
【図６】
0006616659.tif 000007
【図７】
0006616659.tif 000008
【図８】
0006616659.tif 000009